(57)【特許請求の範囲】
【請求項１】
施工面に取着される灯具支持部と、一端側が前記灯具支持部に固定されたコードを介して前記灯具支持部に吊下げ支持される灯具とを備え、
前記灯具支持部は、前記コードを収納する収納部を有し前記施工面に取着される取付部材と、前記コードに対して所望の位置で固定される固定部材と、前記施工面に取着され且つ前記コードに位置決めされた前記固定部材が着脱自在に取着される保持部材とを備え、
前記固定部材は、前記コードが挿通される筒状部の外周面にねじ部が形成された締付ねじと、前記ねじ部に螺合することで前記筒状部と前記コードとを密着させる締付リングからなり、前記締付ねじと前記締付リングの間で前記保持部材を挟持することで前記保持部材に取着されることを特徴とする照明器具。
【請求項２】
前記取付部材は、前記施工面と反対側に前記コードが巻回される壁部が設けられ、前記壁部の外側のスペースおよび内側のスペースにより前記収納部を構成したことを特徴とする請求項１記載の照明器具。
【請求項３】
前記壁部は、前記施工面と反対側の端部から外側に向かって突出するコード受け部を備えたことを特徴とする請求項２記載の照明器具。
【請求項４】
前記施工面と反対側から前記保持部材に当接する前記締付リングの当接部位を、前記施工面側から前記保持部材に当接する前記締付ねじの当接部位よりも大きくしたことを特徴とする請求項１〜３の何れか１項に記載の照明器具。
【請求項５】
前記固定部材および前記保持部材を覆うようにして前記取付部材に被着されるカバーと、前記取付部材の外側部から前記施工面と反対側に突出するリブとを備え、前記カバーの係止部と係止離脱自在に係合する被係止部を前記リブに設けたことを特徴とする請求項１〜４の何れか１項に記載の照明器具。
【発明の詳細な説明】
【技術分野】
【０００１】
本発明は、照明器具に関するものである。
【背景技術】
【０００２】
従来より、コードの長さが調節できるコード吊下げ型の照明器具が提供されている（例えば特許文献１参照）。この照明器具は、天井に取着された引掛シーリングから下方に吊り下げられたコードと、コードの長さを調節するためのコード調節具とを備え、コードの先端にはランプが装着されるソケットが接続されている。この照明器具では、コード調節具に設けた切欠部にコードを挿通させることでコードの余長がループ状に導出され、この余長をコード調節具に巻き付けることで収納できるようになっている。
【特許文献１】特開２００３−３３８２１６号公報（段落［０００８］−段落［００１４］、及び、第１図−第４図）
【発明の開示】
【発明が解決しようとする課題】
【０００３】
上述の特許文献１に示した照明器具では、コード調節具を用いることでコードの長さを調節できるものではあるが、両端がコード調節具に保持されたループ状の余長をコード調節具の周りに巻き付けることで収納するようになっているため、例えば可撓性の低いコードや径の大きいコードの場合にはコードをコンパクトに収納できない場合があった。
【０００４】
本発明は上記問題点に鑑みて為されたものであり、その目的とするところは、コードの余長をコンパクトに収納できる照明器具を提供することにある。
【課題を解決するための手段】
【０００５】
請求項１の発明は、施工面に取着される灯具支持部と、一端側が灯具支持部に固定されたコードを介して灯具支持部に吊下げ支持される灯具とを備え、灯具支持部は、コードを収納する収納部を有し施工面に取着される取付部材と、コードに対して所望の位置で固定される固定部材と、施工面に取着され且つコードに位置決めされた固定部材が着脱自在に取着される保持部材とを備え、固定部材は、コードが挿通される筒状部の外周面にねじ部が形成された締付ねじと、ねじ部に螺合することで筒状部とコードとを密着させる締付リングからなり、締付ねじと締付リングの間で保持部材を挟持することで保持部材に取着されることを特徴とする。
【０００６】
請求項２の発明は、取付部材は、施工面と反対側にコードが巻回される壁部が設けられ、当該壁部の外側のスペースおよび内側のスペースにより収納部を構成したことを特徴とする。
【０００７】
請求項３の発明は、壁部は、施工面と反対側の端部から外側に向かって突出するコード受け部を備えたことを特徴とする。
【０００８】
請求項４の発明は、施工面と反対側から保持部材に当接する締付リングの当接部位を、施工面側から保持部材に当接する締付ねじの当接部位よりも大きくしたことを特徴とする。
【０００９】
請求項５の発明は、固定部材および保持部材を覆うようにして取付部材に被着されるカバーと、取付部材の外側部から施工面と反対側に突出するリブとを備え、カバーの係止部と係止離脱自在に係合する被係止部をリブに設けたことを特徴とする。
【発明の効果】
【００１０】
請求項１の発明によれば、コードの余長を収納部に収納した後に固定部材を保持部材に取着できるようになっており、収納時においてコードの一端側をフリーな状態にすることができるので、可撓性の低いコードや径の大きいコードであっても余長をコンパクトに収納することができるという効果がある。また、固定部材をコードに対して移動自在に設けることによって、収納部に収納されるコードの余長を容易に設定又は調節することができるという効果もある。
【００１１】
請求項２の発明によれば、コードの余長に応じて壁部に巻きつけたり、壁部の内側のスペースに収納したりすることができ、また取付部材に設けた壁部の外側スペースをコードの収納スペースとして利用することで、壁部に巻き取るコードの巻数に応じてコードの調整範囲を段階的に分けることができ、この場合、各調整範囲において壁部に巻回したコードを除く残りのコードを収納できるスペースがあればいいので、収納スペースを小型化することができるという効果がある。
【００１２】
請求項３の発明によれば、施工面と反対側の壁部の端部にコード受け部を設けることによって、余長処理を行う間に壁部に巻回されたコードが緩んだ場合でも、コード受け部が受けることでコードの垂れ下がりを防止することができるという効果がある。
【００１３】
請求項４の発明によれば、保持部材に当接する締付リング側の当接部位を締付ねじ側の当接部位よりも大きくすることによって、コードが揺れた際に保持部材と接触する固定部材の面積を大きくすることができるので、揺れによって大きな力が生じた場合でも固定部材が破損しにくくなるという効果がある。
【００１４】
請求項５の発明によれば、カバー側に設けた係止部を取付部材側に設けた被係止部に係合させることでカバーを取付部材に被着することができ、またカバーを取付部材に被着した状態では施工面との間に隙間がなく、且つ、カバーにより内部の構造が見えないようになっており、外観を向上させた照明器具を実現することができるという効果がある。
【発明を実施するための最良の形態】
【００１５】
本発明の実施形態を図１〜図７に基づいて説明する。本実施形態の照明器具Ｓは、例えば図１および図２に示すように天井Ｘに取り付けられるコード吊下げ型の照明器具であって、室内などを照明するために用いられる。なお、以下の説明では特に断らない限り、図１に示す向きにおいて上下方向を規定する。
【００１６】
照明器具Ｓは、天井Ｘ（施工面）に取着される灯具支持部１１と、一端側が灯具支持部１１に固定されたコード７を介して灯具支持部１１に吊下げ支持される灯具６とを備え、灯具支持部１１は、コード７の余長７ａを収納する収納部を有し天井Ｘに取着される取付部材１と、コード７に対して所望の位置で固定される固定部材１２と、天井Ｘに取着されるとともにコード７に位置決めされた固定部材１２が着脱自在に取着される取付金具２と、固定部材１２および取付金具２を覆うようにして取付部材１に被着されるカバー５とで構成されている。なお、灯具６については従来周知のものを採用しており、詳細な説明は省略する。
【００１７】
取付部材１は、図１および図３に示すように、例えばポリプロピレンからなる略円板状の本体部１ａを有し、本体部１ａの略中央には天井Ｘから配線された電源線８を挿通させるための略円形の電線挿通孔１ｅが貫設され、さらに電線挿通孔１ｅの両側（図３（ａ）中の左右方向両側）には固定ねじ９が挿通されるねじ挿通孔１ｆがそれぞれ貫設されている。なお、図３（ａ）において左側に設けたねじ挿通孔１ｆは、固定ねじ９のねじ頭の径よりも大きく貫設された大径部と、上記ねじ頭よりも径の小さい長孔とが一体に設けられただるま孔状に形成されており、天井Ｘに仮止めした固定ねじ９のねじ頭を大径部から長孔に導入することで取付部材１が天井Ｘに仮止めされるようになっている。
【００１８】
また、本体部１ａの下面（天井Ｘと反対側の面）には、ねじ挿通孔１ｆ、１ｆが開口する部位を除いて電線挿通孔１ｅを中心とする円周上に、弧状の突壁部１ｂ、１ｂが互いに対向する形でそれぞれ下方に向かって突設され、各突壁部１ｂの下側端縁（天井Ｘと反対側の端部）からは外側に向かって延出するコード受け片１ｃが所定の間隔を空けて複数（本実施形態では、図３（ａ）中の上側の突壁部１ｂに３個、下側の突壁部１ｂに２個）設けられている。なお、上側の突壁部１ｂにおいて隣接するコード受け片１ｃ間には、コード７の余長７ａを収納する際にその余長７ａが挿通されるコード挿通溝１ｈ、１ｉがそれぞれ設けられており、さらに余長７ａを外側に引き出すためのコード挿通溝１ｈの深さ寸法が、余長７ａを内側に引き込むためのコード挿通溝１ｉの深さ寸法よりも深く設定されている（図３（ａ）および図３（ｂ）参照）。ここに、上述した１組の突壁部１ｂ、１ｂにより壁部が構成され、さらに両突壁部１ｂ、１ｂの内側部１ｇが収納スペースになっており、突壁部１ｂの外周面（外側のスペース）と内側部１ｇ（内側のスペース）とで取付部材１の収納部が構成されている。また、上記複数のコード受け片１ｃによりコード受け部が構成されている。
【００１９】
さらに、本体部１ａの下面には、各ねじ挿通孔１ｆよりも外側部（図３（ａ）中の左右方向両端部）に、後述するカバー５に設けた係合突起５ｄ（図５参照）が回転係合する弧状のリブ１ｄが互いに対向する形でそれぞれ設けられている。ここにおいて、各リブ１ｄは、図３（ｃ）および図３（ｄ）に示すように本体部１ａの下面から突出する突壁部１ｌと、突壁部１ｌの先端から外側に向かって延出する係合部１ｍとで略Ｌ字状に形成されている。また、各突壁部１ｌの高さは、円周方向一端側（下側から見て左回り方向の端部）から他端側にかけて徐々に低くなっており、他端側には対応する係合突起５ｄの端部が当接するストッパー１ｊが設けられ、さらにストッパー１ｊの手前には緩み止めを構成する嵌合突起１ｋが設けられている。而して、本実施形態の取付部材１では、カバー５を図３（ａ）中の右回りに回転させることで取付部材１の各係合部１ｍにカバー５の対応する係合突起５ｄが係合し、カバー５が取付部材１に被着されるようになっている。ここに、両係合部１ｍ、１ｍにより被係止部が構成されている。
【００２０】
固定部材１２は、図１および図４に示すように、例えば６６ナイロンからなる締付ねじ３と、ＡＢＳ樹脂からなる締付リング４とで構成されている。締付ねじ３は、コード７が挿通される挿通孔３ｆが貫設された筒状部３ａを有し、筒状部３ａの上下方向一端側（図４中の上側）には外側に向かって延出する鍔部３ｂ、３ｃが上下方向に並べて設けられ、さらに筒状部３ａの外周面にはねじ部３ｄが設けられている。なお、鍔部３ｂと鍔部３ｃの間には、取付金具２の板厚と略同じ幅寸法の取付溝３ｅが設けられており、この取付溝３ｅを介して固定部材１２が取付金具２に取り付けられるようになっている。
【００２１】
一方、締付リング４は、コード７が挿通されるとともに内側面にねじ部（図示せず）を有する挿通孔４ｃが貫設された筒状部４ａを有し、筒状部４ａの上下方向一端部（図４中の上端部）には外側に向かって延出する鍔部４ｂが全周に渡って設けられている。なお、図４に示すように、締付リング４の鍔部４ｂの外径寸法Ｄ３は締付ねじ３の鍔部３ｂの外径寸法Ｄ２よりも大きな寸法に形成されている。ここにおいて、締付ねじ３および締付リング４は、それぞれ挿通孔３ｆおよび挿通孔４ｃ内にコード７を挿通した状態でコード７に対して移動自在になっており、所望の位置において締付リング４を締付ねじ３に螺合させることで、筒状部３ａの先端側が狭められて筒状部３ａとコード７とが密着し、固定部材１２がコード７に固定されるようになっている。
【００２２】
取付金具２は、図１および図４に示すように、例えばＪＩＳ等（ＪＩＳ  Ｇ  ３３０２）で規格化された溶融亜鉛めっき鋼板（ＳＧＣＣ）からなる略コ字型の本体部２ａを有し、本体部２ａの対向する２片の先端には固定ねじ９が挿通されるねじ挿通孔２ｄが貫設された取付片２ｂがそれぞれ折曲形成されている。また、本体部２ａの主片２ｅには切欠部２ｃが設けられており、この切欠部２ｃの端縁を上記の締付ねじ３の取付溝３ｅに差し込むことで、固定部材１２が取付金具２に着脱自在に取着できるようになっている。なお、切欠部２ｃの入口近傍には内側に突出する突起（図示せず）が設けられており、この突起により固定部材１２の抜けが防止されるようになっている。さらに、主片２ｅの上面には端子台１０が取り付けられており（図６（ｂ）参照）、この端子台１０を介して施工面側の電源線８と、灯具６側のコード７とが電気的に接続されるようになっている。ここに、取付金具２により保持部材が構成されている。
【００２３】
カバー５は、図１および図５に示すように、例えばＡＢＳ樹脂からなり、上面が開口した有底円筒状のカバー本体５ａを有し、カバー本体５ａにおいて底面側の外周端縁には外側に向かって延出する鍔部５ｂが全周に渡って設けられており、さらにカバー本体５ａの底面の略中央には締付リング４の筒状部４ａが挿通される挿通孔５ｃが貫設されている。また、カバー本体５ａにおいて開口側（図５（ｂ）中の上側）の内側面には、取付部材１に設けた各リブ１ｄと係合する係合突起５ｄがそれぞれ内側に向かって突設されている。この係合突起５ｄは、カバー５の側壁内周面に沿って延設されており、各係合突起５ｄにおいてリブ１ｄの嵌合突起１ｋに対応する部位には嵌合突起１ｋと嵌合する嵌合溝（図示せず）が設けられている。ここに、１組の嵌合突起５ｄ、５ｄにより係止部が構成されている。
【００２４】
ここで本実施形態では、図３（ｃ）に示すようにコード７として直径ｄ１（例えばｄ１＝６ｍｍ）のキャブタイヤコードを用いるとともに、取付部材１の突壁部１ｂの外周面に巻回されるコード７の巻径をＤ１（例えばＤ１＝７４ｍｍ）に設定しており、そのため突壁部１ｂに巻回されるコード７のコード長は１周約２３２ｍｍになる。したがって、本実施形態では、コード７の余長７ａに応じて収納部への収納方法を変えており、以下に図７に基づいて説明する。
【００２５】
まず、余長７ａが５００ｍｍの場合、図７（ａ）に示すように上側の突壁部１ｂに設けたコード挿通溝１ｈから余長７ａを外側に引き出し、突壁部１ｂの外周面に２周巻き付ける。その後、コード挿通溝１ｉから内側部１ｇ内に引き込み、固定部材１２を取付金具２に保持させた後、残りのコードを内側部１ｇ内に収納する。ここにおいて、コード挿通溝１ｈは、深さ寸法がコード挿通溝１ｉよりも深く設定されているので、取付部材１側から余長７ａを巻き始め、巻き終わりを下側とすることができ、まとまりよく余長７ａを巻き取ることができる。
【００２６】
次に、余長７ａが２７０ｍｍ以上５００ｍｍ未満の場合、図７（ｂ）に示すように上側の突壁部１ｂに設けたコード挿通溝１ｈから余長７ａを外側に引き出し、突壁部１ｂの外周面に１周巻き付ける。その後、コード挿通溝１ｉから内側部１ｇ内に引き込み、固定部材１２を取付金具２に保持させた後、残りのコードを内側部１ｇ内に収納する。
【００２７】
さらに、余長７ａが２７０ｍｍ未満の場合、図７（ｃ）に示すように余長７ａは突壁部１ｂの外周面には巻かれず、固定部材１２を取付金具２に保持させた後、すべての余長７ａが内側部１ｇ内に収納される。
【００２８】
而して、本実施形態の照明器具Ｓでは、コード７の余長７ａに応じて突壁部１ｂに巻きつけたり、突壁部１ｂの内側部１ｇ内に収納したりすることができ、また突壁部１ｂの外周面（外側のスペース）を余長７ａの収納スペースとして利用することで、突壁部１ｂに巻き取る余長７ａの巻数に応じて余長７ａの調整範囲を段階的に分けることができ、この場合、各調整範囲において突壁部１ｂに巻回した余長７ａを除く部分を収納できるスペースがあればいいので、収納スペースを小型化することができる。
【００２９】
次に、本実施形態の照明器具Ｓの施工手順について図１および図６に基づいて説明する。なお、以下の説明では、コード７の一端側に予め灯具６に接続されているものとして説明する。まず、締付ねじ３の挿通孔３ｆおよび締付リング４の挿通孔４ｃ内にそれぞれコード７を挿通した後、コード７の芯線（図示せず）を端子台１０に接続する。次に、コード７に対して締付ねじ３を上下方向（図６（ａ）中の矢印Ｂ方向）に移動させて所望の位置に配置した後、下側から締付リング４を右回り（図６（ａ）中の矢印Ｃ方向）に回転させることで締付リング４を締付ねじ３に螺着させてコード７に固定部材１２を固定する（図６（ｂ）参照）。なおこのとき、固定部材１２よりも上側に位置するコード７が取付部材１の収納部に収納される余長７ａとなる。
【００３０】
その後、取付部材１の電線挿通孔１ｅに電源線８を挿通させるとともに、電源線８の各芯線を端子台１０に接続した後、固定ねじ９を用いて取付部材１および取付金具２を天井Ｘに固定する（図１参照）。次に、図６（ｃ）に示すようにコード７の余長７ａを突壁部１ｂのコード挿通溝１ｈから外側に引き出して突壁部１ｂの外周面に巻き付け、残りのコードをコード挿通溝１ｉから内側部１ｇ内に引き込んだ後（図６（ｄ）参照）、締付ねじ３の取付溝３ｅ内に取付金具２の切欠部２ｃの端縁を差し込んで固定部材１２を取付金具２に取り付ける（図６（ｅ）参照）。その後、余長７ａの残りのコードを内側部１ｇ内に収納した後（図６（ｆ）参照）、固定部材１２および取付金具２を覆うようにカバー５を下側（図６（ｇ）中の矢印Ｄ方向）から取付部材１に被着し、さらにカバー５を右回り（図６（ｇ）中の矢印Ｅ方向）に回転させると取付部材１にカバー５が取り付けられ、照明器具Ｓの施工が完了する。
【００３１】
なおこのとき、カバー５側の各係合突起５ｄは取付部材１側の対応するリブ１ｄの係合部１ｍにそれぞれ弾接し、さらに各係合突起５ｄの先端部がそれぞれ対応するストッパー１ｊに当接するとともに、各係合突起５ｄの嵌合溝内に係合片１ｄの嵌合突起１ｋが嵌合する。すなわち、各係合突起５ｄを対応する係合部１ｍに弾接させるとともに、各嵌合突起１ｋを対応する嵌合溝内に嵌合させることで、取付部材１に対するカバー５の緩みが防止されるようになっている。ここにおいて、取付部材１の外周縁に１組のリブ１ｄ、１ｄを設けることによって、突壁部１ｂの外周面に巻き付けた余長７ａをリブ１ｄ、１ｄの内側に収めることができるので、取付部材１にカバー５を被着する際に余長７ａが干渉することがなく、カバー５を容易に取り付けることができる。
【００３２】
本実施形態の照明器具Ｓでは、コード７の余長７ａを収納部（突壁部１ｂの外周面および内側部１ｇ）に収納した後に固定部材１２を取付金具２に取着できるようになっており、収納時においてコード７の一端側（灯具６が接続されている側）をフリーな状態にすることができるので、可撓性の低いコードや径の大きいコードであっても余長７ａをコンパクトに収納することができる。また、天井Ｘと反対側の突壁部１ｂの端部にコード受け片１ｃを設けることによって、余長処理を行う間に突壁部１ｂに巻回されたコード７が緩んだ場合でも、コード受け片１ｃが受けることでコード７の垂れ下がりを防止することができる。
【００３３】
さらに、固定部材１２をコード７に対して移動自在に設けることによって、コード７の収納長さ（余長７ａ）を容易に設定又は調節することができ、また取付金具２に当接する締付リング４側の当接部位（すなわち鍔部４ｂの上面）を締付ねじ３側の当接部位（すなわち鍔部３ｂの下面）よりも大きくすることによって、コード７が揺れた際に取付金具２と接触する固定部材１２の面積を大きくすることができるので、揺れによって大きな力が生じた場合でも固定部材１２が破損しにくくなる。
【００３４】
また、カバー５側に設けた係合突起５ｄを取付部材１側に設けた係合部１ｍに係合させることでカバー５を取付部材１に被着することができ、またカバー５を取付部材１に被着した状態では天井面Ｘとの間に隙間がなく、且つ、カバー５により内部の構造が見えないようになっており、外観を向上させた照明器具Ｓを実現することができる。
【００３５】
なお、本実施形態では、コード７の余長７ａが５００ｍｍ以下の場合を例に説明したが、例えば取付部材１の高さ寸法（天井Ｘからの寸法）を大きく設定し、突壁部１ｂの外周面への巻数を多くすることで余長７ａが５００ｍｍよりも大きい寸法であっても対応できるように構成してもよい。また、突壁部１ｂの位置や個数についても本実施形態に限定されるものではなく、適宜設計してもよい。
【図面の簡単な説明】
【００３６】
【図１】本実施形態の照明器具の一部を省略せる分解斜視図である。
【図２】同上の正面図である。
【図３】同上に用いられる取付部材を示し、（ａ）は正面図、（ｂ）は一部破断せる下側面図、（ｃ）は右側面図、（ｄ）は左側面図である。
【図４】同上に用いられる取付金具に固定部材を取り付けた状態を示す状態図である。
【図５】同上に用いられる取付部材にカバーを取り付けた状態を示し、（ａ）は正面図、（ｂ）はＡ−Ａ’断面図である。
【図６】（ａ）〜（ｇ）は同上の施工手順を説明する説明図である。
【図７】（ａ）〜（ｃ）は同上に用いられる取付部材にコードの余長を収納した状態を示す状態図である。
【符号の説明】
【００３７】
１  取付部材
１ｂ  突壁部（壁部）
１ｇ  内側部
２  取付金具（保持部材）
３  締付ねじ
４  締付リング
６  灯具
７  コード
７ａ  余長
１１  灯具支持部
１２  固定部材
Ｓ  照明器具
Ｘ  天井（施工面）
【図１】
0005199721.tif 000002
【図２】
0005199721.tif 000003
【図３】
0005199721.tif 000004
【図４】
0005199721.tif 000005
【図５】
0005199721.tif 000006
【図６】
0005199721.tif 000007
【図７】
0005199721.tif 000008